【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  ブレを補正するブレ補正光学系と、
コイルを含むアクチュエータを有し、前記ブレ補正光学系を駆動する駆動部と、
前記駆動部を制御する制御部と、
を備えたブレ補正装置において、
前記コイルの２極の配線情報を記憶する記憶部を備え、
前記制御部は、前記配線情報に基づいて、前記アクチュエータの駆動方向を決定すること、
を特徴とするブレ補正装置。
【請求項２】  請求項１に記載のブレ補正装置において、
前記駆動部は、前記コイルの２極の末端が配線接続されており、
前記コイルの配線接続後に、前記アクチュエータを駆動して、その駆動方向を検出する駆動方向検出部を備え、
前記記憶部は、書き込み可能な不揮発性メモリであり、前記駆動方向検出部の検出結果に基づいて、前記コイルの２極の配線情報が書き込まれていること、
を特徴とするブレ補正装置。
【請求項３】  請求項１又は２に記載のブレ補正装置において、
前記駆動部は、前記コイルの２極の末端が配線接続されており、前記ブレ補正光学系をＸ軸方向とＹ軸方向とに駆動し、
前記コイルの配線接続後の前記ブレ補正光学系の位置を初期位置とするＸ，Ｙ平面上で、前記アクチュエータを駆動して、その駆動方向を検出する駆動方向検出部を備え、
前記記憶部は、書き込み可能であり、前記駆動方向検出部の検出結果に基づいて、前記コイルの２極の配線情報が書き込まれていること、を特徴とするブレ補正装置。
【請求項４】  請求項１〜３のいずれかに記載のブレ補正装置において、
前記駆動部は、前記コイルの２極の末端が配線接続されており、前記ブレ補正光学系をＸ軸方向とＹ軸方向とに駆動し、
前記コイルの配線接続後の前記ブレ補正光学系の位置を初期位置とするＸ，Ｙ平面上で、前記ブレ補正光学系がＸ軸方向とＹ軸方向とに移動するように前記アクチュエータを駆動して、その駆動方向を検出する駆動方向検出部を備え、
前記記憶部は書き込み可能であり、前記駆動方向検出部の検出結果に基づいて、前記コイルの２極の配線情報が書き込まれていること、を特徴とするブレ補正装置。
【請求項５】  請求項１〜４のいずれかに記載のブレ補正装置において、
前記駆動部は、前記コイルの２極の末端が配線接続されており、前記ブレ補正光学系をＸ軸方向とＹ軸方向とに駆動し、
前記コイルの配線接続後の前記ブレ補正光学系の位置を初期位置とするＸ，Ｙ平面上で、前記ブレ補正光学系が前記初期位置から見て４５°の方向に移動するように前記アクチュエータを駆動して、その駆動方向を検出する駆動方向検出部を備え、
前記記憶部は書き込み可能であり、前記駆動方向検出部の検出結果に基づいて、前記コイルの２極の配線情報が書き込まれていること、を特徴とするブレ補正装置。
【請求項６】  請求項３〜５のいずれかに記載のブレ補正装置において、
前記初期位置は、前記Ｘ，Ｙ平面上の原点であることを特徴とするブレ補正装置。
【請求項７】  ブレを補正するブレ補正光学系と、
コイルを含むアクチュエータを有し、前記ブレ補正光学系を駆動する駆動部と、
前記コイルの２極の配線情報を記憶する記憶部と、
前記配線情報に基づいて、前記アクチュエータの駆動方向を決定し、前記駆動部を制御する制御部と、
を備えたブレ補正装置を製造するブレ補正装置の製造方法であって、
前記コイルの２極の末端を配線接続する配線接続工程と、
前記配線接続工程後に、前記アクチュエータを駆動して、その駆動方向に基づいて、配線情報を認識する配線情報認識工程と、
前記配線情報認識工程で認識した配線情報を、前記記憶部に書き込む配線情報書込工程と、
を備えたブレ補正装置の製造方法。
【請求項８】  請求項７に記載のブレ補正装置の製造方法において、
前記配線情報認識工程は、前記配線接続工程後の前記ブレ補正光学系の位置を初期位置とする平面上において前記アクチュエータを駆動し、前記ブレ補正光学系の移動方向に基づいて前記配線情報を認識することを特徴とするブレ補正装置の製造方法。
【請求項９】  請求項７又は８に記載のブレ補正装置の製造方法において、
前記配線情報認識工程は、前記配線接続工程後の前記ブレ補正光学系の位置を初期位置とするＸ，Ｙ平面上において、前記ブレ補正光学系がＸ軸方向とＹ軸方向とに移動するように前記アクチュエータを駆動し、前記ブレ補正光学系の移動方向に基づいて前記配線情報を認識することを特徴とするブレ補正装置の製造方法。
【請求項１０】  請求項７〜９のいずれかに記載のブレ補正装置の製造方法において、
前記配線情報認識工程は、前記配線接続工程後の前記ブレ補正光学系の位置を初期位置とする平面上において、前記ブレ補正光学系が前記初期位置から見て４５°の方向に移動するように前記アクチュエータを駆動し、前記ブレ補正光学系の移動方向に基づいて前記配線情報を認識することを特徴とするブレ補正装置の製造方法。
【請求項１１】  ブレを補正するブレ補正光学系と、
コイルを含むアクチュエータを有し、前記ブレ補正光学系を駆動する駆動部と、
前記駆動部を制御する制御部と、を備えたブレ補正機能を有する交換レンズにおいて、
前記コイルの２極の配線情報を記憶する記憶部を備え、
前記制御部は、前記配線情報に基づいて、前記アクチュエータの駆動方向を決定すること、を特徴とする交換レンズ。
【請求項１２】  ブレを補正するブレ補正光学系と、
コイルを含むアクチュエータを有し、前記ブレ補正光学系を駆動する駆動部と、
前記駆動部を制御する制御部と、を備えたブレ補正機能を有するカメラシステムにおいて、
前記コイルの２極の配線情報を記憶する記憶部を備え、
前記制御部は、前記配線情報に基づいて、前記アクチュエータの駆動方向を決定すること、
を特徴とするカメラシステム。
【手続補正２】
【補正対象書類名】明細書
【補正対象項目名】００１２
【補正方法】変更
【補正の内容】
【００１２】
請求項３の発明は、請求項１又は２に記載のブレ補正装置において、前記駆動部は、前記コイルの２極の末端が配線接続されており、前記ブレ補正光学系（５）をＸ軸方向とＹ軸方向とに駆動し、前記コイルの配線接続後の前記ブレ補正光学系の位置を初期位置とするＸ，Ｙ平面上で、前記アクチュエータを駆動して（Ｓ１００）、その駆動方向を検出する駆動方向検出部（４２，４３，Ｓ１０２）を備え、前記記憶部（７）は、書き込み可能であり、前記駆動方向検出部（４２，４３）の検出結果に基づいて、前記コイルの２極の配線情報が書き込まれている（Ｓ１０４）こと、を特徴とするブレ補正装置である。
請求項４の発明は、請求項１〜３のいずれかに記載のブレ補正装置において、前記駆動部は、前記コイルの２極の末端が配線接続されており、前記ブレ補正光学系（５）をＸ軸方向とＹ軸方向とに駆動し、前記コイルの配線接続後の前記ブレ補正光学系の位置を初期位置とするＸ，Ｙ平面上で、前記ブレ補正光学系がＸ軸方向とＹ軸方向とに移動するように前記アクチュエータを駆動して（Ｓ１００）、その駆動方向を検出する駆動方向検出部（４２，４３，Ｓ１０２）を備え、前記記憶部（７）は書き込み可能であり、前記駆動方向検出部（４２，４３）の検出結果に基づいて、前記コイルの２極の配線情報が書き込まれている（Ｓ１０４）こと、を特徴とするブレ補正装置である。
請求項５の発明は、請求項１〜４のいずれかに記載のブレ補正装置において、前記駆動部は、前記コイルの２極の末端が配線接続されており、前記ブレ補正光学系（５）をＸ軸方向とＹ軸方向とに駆動し、前記コイルの配線接続後の前記ブレ補正光学系の位置を初期位置とするＸ，Ｙ平面上で、前記ブレ補正光学系が前記初期位置から見て４５°の方向に移動するように前記アクチュエータを駆動して（Ｓ１００）、その駆動方向を検出する駆動方向検出部（４２，４３，Ｓ１０２）を備え、前記記憶部（７）は書き込み可能であり、前記駆動方向検出部（４２，４３）の検出結果に基づいて、前記コイルの２極の配線情報が書き込まれている（Ｓ１０４）こと、を特徴とするブレ補正装置である。
請求項６の発明は、請求項３〜５のいずれかに記載のブレ補正装置において、前記初期位置は、前記Ｘ，Ｙ平面上の原点であることを特徴とするブレ補正装置である。
請求項７の発明は、ブレを補正するブレ補正光学系（５）と、コイルを含むアクチュエータを有し、前記ブレ補正光学系を駆動する駆動部（４０，４１，６）と、前記コイルの２極の配線情報を記憶する記憶部（７）と、前記配線情報に基づいて、前記アクチュエータの駆動方向を決定し、前記駆動部を制御する制御部（４）と、を備えたブレ補正装置を製造するブレ補正装置の製造方法であって、前記コイルの２極の末端を配線接続する配線接続工程と、前記配線接続工程後に、前記アクチュエータを駆動して、その駆動方向に基づいて、配線情報を認識する配線情報認識工程（Ｓ１００〜Ｓ１０３）と、前記配線情報認識工程で認識した配線情報を、前記記憶部に書き込む配線情報書込工程（Ｓ１０４）と、を備えたブレ補正装置の製造方法である。
【手続補正３】
【補正対象書類名】明細書
【補正対象項目名】００１３
【補正方法】変更
【補正の内容】
【００１３】
請求項８の発明は、請求項７に記載のブレ補正装置の製造方法において、前記配線情報認識工程（Ｓ１００〜Ｓ１０３）は、前記配線接続工程後の前記ブレ補正光学系の位置を初期位置とする平面上において前記アクチュエータを駆動し、前記ブレ補正光学系の移動方向に基づいて前記配線情報を認識することを特徴とするブレ補正装置の製造方法である。
請求項９の発明は、請求項７又は８に記載のブレ補正装置の製造方法において、前記配線情報認識工程（Ｓ１００〜Ｓ１０３）は、前記配線接続工程後の前記ブレ補正光学系の位置を初期位置とするＸ，Ｙ平面上において、前記ブレ補正光学系がＸ軸方向とＹ軸方向とに移動するように前記アクチュエータを駆動し、前記ブレ補正光学系の移動方向に基づいて前記配線情報を認識することを特徴とするブレ補正装置の製造方法である。
請求項１０の発明は、請求項７〜９のいずれかに記載のブレ補正装置の製造方法において、前記配線情報認識工程（Ｓ１００〜Ｓ１０３）は、前記配線接続工程後の前記ブレ補正光学系の位置を初期位置とする平面上において、前記ブレ補正光学系が前記初期位置から見て４５°の方向に移動するように前記アクチュエータを駆動し、前記ブレ補正光学系の移動方向に基づいて前記配線情報を認識することを特徴とするブレ補正装置の製造方法である。
請求項１１の発明は、ブレを補正するブレ補正光学系と、コイルを含むアクチュエータを有し、前記ブレ補正光学系を駆動する駆動部と、前記駆動部を制御する制御部と、を備えたブレ補正機能を有する交換レンズにおいて、前記コイルの２極の配線情報を記憶する記憶部を備え、前記制御部は、前記配線情報に基づいて、前記アクチュエータの駆動方向を決定すること、を特徴とする交換レンズである。
【手続補正４】
【補正対象書類名】明細書
【補正対象項目名】００１４
【補正方法】変更
【補正の内容】
【００１４】
請求項１２の発明は、ブレを補正するブレ補正光学系と、コイルを含むアクチュエータを有し、前記ブレ補正光学系を駆動する駆動部と、前記駆動部を制御する制御部と、を備えたブレ補正機能を有するカメラシステムにおいて、前記コイルの２極の配線情報を記憶する記憶部を備え、前記制御部は、前記配線情報に基づいて、前記アクチュエータの駆動方向を決定すること、を特徴とするカメラシステムである。